(57)【要約】【課題】排泄物容器を水により洗浄できるポータブルトイレを提供する。【解決手段】ポータブルトイレは、使用者が着座する着座部１と、排泄物を受ける排泄物容器３と、着座部１及び排泄物容器３を有する基体４とを具備する。排泄物容器３を洗浄する排泄物容器洗浄部８が設けられている。排泄物容器洗浄部８により排泄物容器３を洗浄できるため、排泄物容器３を衛生的に維持できる。【選択図】  図２
2006122664.tif 000002
【特許請求の範囲】
【請求項１】
使用者が着座する着座部と、使用者の排泄物を受ける排泄物容器と、前記着座部及び前記排泄物容器を有する基体とを具備するポータブルトイレにおいて、
前記排泄物容器を洗浄する排泄物容器洗浄部が設けられていることを特徴とするポータブルトイレ。
【請求項２】
請求項１において、前記排泄物容器洗浄部に給水可能な水タンクと、前記水タンクの水を前記排泄物容器洗浄部に給水する第１給水手段とが、前記基体に設けられていることを特徴とするポータブルトイレ。
【請求項３】
使用者が着座する着座部と、使用者の排泄物を受ける排泄物容器と、前記着座部及び前記排泄物容器を有する基体とを具備するポータブルトイレにおいて、
前記着座部に着座している使用者の局部を洗浄する局部洗浄部が設けられており、且つ、前記排泄物容器を洗浄する排泄物容器洗浄部が設けられていることを特徴とするポータブルトイレ。
【請求項４】
請求項３において、前記局部洗浄部に給水可能な水タンクと、前記水タンクの水を前記局部洗浄部に給水すると共に前記第１給水手段に対して独立して作動する第２給水手段とが、前記基体に設けられていることを特徴とするポータブルトイレ。
【請求項５】
請求項２または請求項４において、前記水タンクは前記基体の後部側に固定的または着脱可能に設けられていることを特徴とすることを特徴とするポータブルトイレ。
【請求項６】
請求項５において、前記水タンクと着座部との間に位置すると共に前記水タンクへの給水作業を保護する仕切部材が前記基体に設けられていることを特徴とするポータブルトイレ。
【請求項７】
請求項１〜請求項６のうちのいずれか一項において、前記着座部に前かがみ姿勢で着座している使用者の腕部を支えると共に使用者の前面に対面するレスト部が前記基体の前部側に設けられていることを特徴とするポータブルトイレ。
【請求項８】
請求項１〜請求項７のうちのいずれか一項において、前記排泄物容器洗浄部に繋がる給水経路にはヒータが設けられていることを特徴とするポータブルトイレ。
【請求項９】
請求項１〜請求項８のうちのいずれか一項において、前記排泄物容器洗浄部は、前記基体から所定長持ち運び可能であり、前記着座部に着座している使用者の局部および／または下半身に対面して洗浄可能であることを特徴とするポータブルトイレ。
【請求項１０】
請求項３〜請求項９のうちのいずれか一項において、前記局部洗浄部に繋がる給水経路にはヒータが設けられていることを特徴とするポータブルトイレ。
【請求項１１】
請求項１〜請求項７のうちのいずれか一項において、前記排泄物容器洗浄部に繋がる給水経路と、前記局部洗浄部に繋がる給水経路とは互いに独立しており、且つ、
前記排泄物容器洗浄部に繋がる給水経路にはヒータが設けられておらず、前記局部洗浄部に繋がる給水経路にはヒータが設けられていることを特徴とするポータブルトイレ。
【請求項１２】
請求項１〜請求項１０のうちのいずれか一項において、前記排泄物容器洗浄部に繋がる給水経路と、前記局部洗浄部に繋がる給水経路とは互いに独立しており、且つ、
前記排泄物容器洗浄部に繋がる給水経路にはヒータが設けられており、且つ、前記局部洗浄部に繋がる給水経路にもヒータが設けられていることを特徴とするポータブルトイレ。
【請求項１３】
請求項１２において、前記局部洗浄部から吐出される温水の温度をＴＡとし、前記排泄物容器洗浄部から吐出される温水の温度をＴＢとすると、ＴＡ＝ＴＢ、ＴＡ≒ＴＢ（ＴＡ／ＴＢ＝０．９〜１．１）、ＴＡ＜ＴＢ、ＴＡ＞ＴＢのうちのいずれかに設定されているか、あるいは、設定可能であることを特徴とするポータブルトイレ。
【請求項１４】
請求項１〜１３のうちのいずれか一項において、前記排泄物容器洗浄部から吐出される温水の温度を可変に調整する温度調整スイッチが設けられていることを特徴とするポータブルトイレ。
【請求項１５】
請求項１〜請求項１４のうちのいずれか一項において、前記着座部に着座する使用者の顔が指向する方向を前方とし、前記着座部に着座する使用者の背中が指向する方向を後方とし、前記前方と前記後方とを結ぶ方向に対して交差する方向を幅方向とするとき、
前記基体は、前記前方に向けて引き出し可能なスライド部材と、前記スライド部材の下方に位置して前記基体の前部に設けられ前記着座部に着座する使用者の脚に対面する前板部とを有しており、
平面視において、前記スライド部材及び前記前板部は、前記幅方向の中央部が前記幅方向の両端部よりも前方に突出していることを特徴とするポータブルトイレ。
【請求項１６】
請求項１〜請求項１５のうちのいずれか一項において、前記着座部に着座する使用者の顔が指向する方向を前方とし、前記着座部に着座する使用者の背中が指向する方向を後方とし、前記前方と前記後方とを結ぶ方向に沿った断面において、前記基体は、前記基体の前部に設けられ前記着座部に着座する使用者の脚に対面する前板部を有しており、
前記前板部の前面の下部は、前記前板部の前面の上部よりも後方に退避していることを特徴とするポータブルトイレ。
【請求項１７】
請求項１６において、前記前板部の下部が前記前板部の上部よりも後方に退避するように、前記前板部の前面は傾斜していることを特徴とするポータブルトイレ。
【発明の詳細な説明】
【技術分野】
【０００１】
本発明は衛生性を高めたポータブルトイレに関する。
【背景技術】
【０００２】
特許文献１には、使用者が着座する着座部と、使用者の排泄物を受ける排泄物容器と、着座部及び排泄物容器を有する基体とを備えるポータブルトイレが開示されている。排泄物容器は、使用者から排出された排泄物等の排泄物を受けるものである。このものによれば、着座部に着座している使用者の尻部の排便後の局部を洗浄する第１の局部洗浄ノズルが使用者の排便後の局部に対面可能となるように基体に据え付けられている。
【０００３】
更に、使用者が高齢者や障害者等である場合には、第１の局部洗浄ノズルによる洗浄だけでは、排便後の局部を十分に洗浄できないおそれがある。このため、介助者が使用者の局部を洗浄するための局部洗浄用の第２の洗浄ノズルが設けられている。そして、介助者が第２の局部洗浄ノズルを操作し、第２の局部洗浄ノズルから吐出される水を、使用者（被介助者）の排便後の局部に当てて、使用者（被介助者）の排便後の局部を洗浄できるようにしている。この公報にかかる技術によれば、第２の洗浄ノズルは、介助者が使用者（被介助者）の局部を洗浄するための局部洗浄用のものであることが記載されている。この公報にかかる技術によれば、第１の局部洗浄ノズルへの給水、第２の局部洗浄ノズルへの給水は共通のポンプにより行われる。
【特許文献１】特開２００２−２０９７９６号公報
【発明の開示】
【発明が解決しようとする課題】
【０００４】
上記したポータブルトイレはベッド等の近傍に位置するように居住室内に設置されることが多いため、排泄物容器が汚れていると、周囲に悪臭を招く。このため排泄物容器は常に衛生的であることが要請されている。
【０００５】
本発明は上記した実情に鑑みてなされたものであり、排泄物容器を水により洗浄でき、排泄物容器の衛生性を高めることができるポータブルトイレを提供することを課題とする。
【課題を解決するための手段】
【０００６】
第１発明に係るポータブルトイレは、使用者が着座する着座部と、使用者の排泄物を受ける排泄物容器と、着座部及び排泄物容器を有する基体とを具備するポータブルトイレにおいて、排泄物容器を洗浄する排泄物容器洗浄部が設けられていることを特徴とするものである。この場合、排泄物容器洗浄部から吐出される水により排泄物容器内を洗浄できるため、排泄物容器を衛生的に維持できる。
【０００７】
第２発明に係るポータブルトイレは、使用者が着座する着座部と、使用者の排泄物を受ける排泄物容器と、着座部及び排泄物容器を有する基体とを具備するポータブルトイレにおいて、着座部に着座している使用者の局部を洗浄する局部洗浄部が設けられており、且つ、排泄物容器を洗浄する排泄物容器洗浄部が設けられていることを特徴とするものである。この場合、着座部に着座している使用者の局部を、局部洗浄部 から吐出される水により洗浄できるため、使用者の局部を衛生的にできる。更に、排泄物容器洗浄部から吐出される水により排泄物容器内を洗浄できるため、排泄物容器を衛生的に維持できる。
【発明の効果】
【０００８】
第１発明に係るポータブルトイレによれば、排泄物容器洗浄部から吐出される水により排泄物容器の排泄物収容室等を洗浄できるため、排泄物容器を衛生的に維持できる。
【０００９】
第２発明に係るポータブルトイレによれば、着座部に着座している使用者の局部を局部洗浄部により洗浄できるため、着座部に着座する使用者の局部を衛生的にできる。更に、排泄物容器が汚れているときであっても、排泄物容器洗浄部から吐出される水により排泄物容器の排泄物収容室等を洗浄できるため、排泄物容器を衛生的に維持できる。
【発明を実施するための最良の形態】
【００１０】
本発明に係るポータブルトイレは、使用者が着座する着座部と、使用者の排泄物を受ける排泄物容器と、着座部及び排泄物容器を有する基体と、排泄物容器を洗浄する排泄物容器洗浄部とを備える。排泄物容器洗浄部は、水を吐出させて排泄物容器の壁面に付着している汚れを清掃するためのものである。排泄物容器洗浄部については、ポータブルトイレに搭載されている水タンク等の給水源から給水しても良いし、あるいは、ポータブルトイレとは別体の給水源（例えば水道管）から給水しても良い。
【００１１】
好ましくは、排泄物容器洗浄部に給水可能な水タンクと、水タンクの水を排泄物容器洗浄部に給水する第１給水手段とが、基体に設けられている。水タンクは基体に対して着脱式でも良いし、基体に固定されている固定式でも良い。水タンクは、基体の後部側に設けられていても良いし、基体の底部側または側面側に設けられていても良い。第１給水手段は水タンクの水を排泄物容器洗浄部に給水するものであり、モータを有する電動ポンプ、あるいは、手動ポンプを例示できる。
【００１２】
好ましくは、着座部に着座している使用者の局部を洗浄する局部洗浄部が設けられている。この場合、局部洗浄部に給水可能な水タンクの他に、水タンクの水を局部洗浄部に給水する第２給水手段が、基体に設けられていることが好ましい。水タンクと着座部との間に位置すると共に水タンクへの給水作業を保護する仕切部材が基体に設けられている形態を例示できる。この場合、水タンクへの給水作業が仕切部材により保護される。故に、高齢者や障害者等の使用者が着座部に着座しているときにおいても、使用者に邪魔されることなく、介助者等は水タンクに水を補給する補給作業を良好に行うことができる。仕切り機能を高めるため、仕切部材の上面の高さ位置は、水タンクの上面よりも高いことが好ましい。なお仕切部材は背もたれ部を兼用することができる。
【００１３】
排泄物容器洗浄部に繋がる給水経路と、局部洗浄部に繋がる給水経路とは互いに独立している形態を例示できる。この場合、排泄物容器洗浄部に繋がる給水経路に第１給水手段が設けられている形態を採用できる。また、局部洗浄部に繋がる給水経路に第２給水手段が設けられている形態を採用できる。更には、排泄物容器洗浄部に繋がる給水経路と、局部洗浄部に繋がる給水経路とは一体的である形態を採用しても良い。排泄物容器洗浄部に繋がる給水経路にはヒータが設けられている形態を例示することができる。この場合、排泄物容器洗浄部を温水で洗浄できるため、排泄物容器の汚れを除去し易い。また、排泄物容器洗浄部から吐出される温水の温度を可変に調整する温度調整スイッチが設けられている形態を例示することができる。この場合、温水の温度を調整できるため、排泄物容器を洗浄するのに有利である。
【００１４】
排泄物容器洗浄部は、基体から所定長持ち運び可能であり、使用者の局部および／または下半身に対面して洗浄可能である形態を例示することができる。この場合、排泄物容器洗浄部を給水ホース等の可撓配管につなげることができる。この場合、排泄後の使用者（被介護者）の局部および／または下半身を水または温水により洗浄することができる。この場合、身体が不自由であるため浴室に頻繁には行くことができないものの、かといってベッドまたは布団の上に横たわった状態で介護者に局部洗浄してもらうまでには至らぬ不自由さをもつ被介護者にとっては、朗報となる。
【００１５】
また、局部洗浄部に繋がる給水経路にヒータが設けられている形態を例示することができる。この場合、使用者の局部（排便局部または女性局部のうちの少なくとも一方）を温水で洗浄できる。また、排泄物容器洗浄部に繋がる給水経路にはヒータが設けられておらず、局部洗浄部に繋がる給水経路にはヒータが設けられている形態を例示することができる。この場合、使用者の局部を洗浄する水を加熱できるため、使用者の局部を洗浄する際における不快感を無くし得る。また排泄物容器を洗浄する水を加熱しないため、熱エネルギーを節約することができる。
【００１６】
あるいは、排泄物容器洗浄部に繋がる給水経路にはヒータが設けられており、且つ、局部洗浄部に繋がる給水経路にもヒータが設けられている形態を例示することができる。この場合、使用者の局部を温水で洗浄するばかりか、排泄物容器を温水で洗浄できるため、排泄物容器の汚れを除去し易い。
【００１７】
好ましくは、着座部に前かがみ姿勢で着座している使用者の腕部を支えると共に使用者の前面に対面するレスト部が基体の前部側に設けられている形態を例示できる。排便時に使用者が前かがみの姿勢で長い時間着座部に着座するときであっても、使用者の前かがみの姿勢をレスト部により良好に維持できるため、便秘気味の高齢者の排便に適する。但し、レスト部が設けられていないタイプでも良い。
【００１８】
好ましくは、着座部に着座する使用者の顔が指向する方向を前方とし、着座部に着座する使用者の背中が指向する方向を後方とし、前方と前記後方とを結ぶ方向に対して交差する方向を幅方向とするとき、基体は、前方に向けて引き出し可能なスライド部材と、スライド部材の下方に位置して基体の前部に設けられ着座部に着座する使用者の脚に対面する前板部とを有する形態を採用することができる。この場合、平面視において、スライド部材及び前板部は、幅方向の中央部が幅方向の両端部よりも前方に突出している。このため、使用者が着座部に着座するとき、使用者の脚部（左脚部、右脚部）の脚もとのスペースが確保され易くなり、使用者は着座部に着座し易くなる利点が得られる。
【００１９】
また、好ましくは、着座部に着座する使用者の顔が指向する方向を前方とし、着座部に着座する使用者の背中が指向する方向を後方とし、前方と後方とを結ぶ方向に沿った断面において、基体は、基体の前部に設けられ着座部に着座する使用者の脚に対面する前板部を有する形態を採用することができる。この場合、前板部の前面の下部は、前板部の前面の上部よりも後方に退避している。このように前板部の前面の下部が前板部の前面の上部よりも後方に退避していると、着座部に着座している使用者の脚もとのスペースを良好に確保できる。従って、使用者が着座部に着座するとき、使用者の脚部の足首付近のスペースが確保され易くなり、使用者は着座部に着座し易くなる利点が得られる。更に、着座部に着座している使用者が立ち上がり易くなる利点が得られる。殊に、前板部の下部が前板部の上部よりも後方に退避するように、前板部の前面が傾斜していることが好ましい。
【実施例１】
【００２０】
以下、本発明の実施例１について図１〜図１１を参照して具体的に説明する。本実施例に係るポータブルトイレは、図１に示すように、使用者の尻部が着座する着座部１を有する局部洗浄装置２と、排泄物を受ける排泄物容器３と、着座部１及び排泄物容器３を有する基体４とを備える。基体４は、木質系の固定フレーム４０と、固定フレーム４０に前方（矢印Ｆ方向）に引き出し可能に設けられた木質系のスライド部材７とを備える。ここで前方とは、着座部１に着座する使用者の顔が向く方向を意味する。後方とは、着座部１に着座する使用者の背中が向く方向を意味する。固定フレーム４０は、外バケツ５を収容可能な容器収容室４２と、床面側に配置された底板部４３と、基体４の前部側に設けられた前支柱４４ｍと、底板部４３よりも上側に設けられた中板部４５と、使用者の肘掛けとして機能する肘掛け部４６と、基体４の後部４ｒ側において底板部４３から上方に向けて縦方向に延設された後支柱として機能する背板部４７と、背板部４７に架設され使用者の背中に対面する比較的厚肉のクッション性を有する背もたれ部４８と、着座部１の高さ位置を調整する高さ調整機構４９とを有する。なお、固定フレーム４０は後部側に、移動用の転動可能なキャスター４０ｗを有する。固定フレーム４０の前側を持ち上げれば、キャスター４０ｗによりポータブルトイレを容易に移動させることができる。
【００２１】
局部洗浄装置２は、局部洗浄部２０を搭載する本体部２１と、本体部２１に上下方向に揺動可能に枢支された便座で形成された着座部１とを備える。局部洗浄部２０は、使用者の排便後の局部を洗浄する第１局部洗浄部２０ｆと、女性局部を洗浄するビデ用の第２局部洗浄部２０ｓとで形成されている。局部洗浄部２０はノズル式とされており、基体４のうち着座部１の後部側に設けられており、着座部１に着座する使用者の局部に対面可能とされている。但し、第１局部洗浄部２０ｆ及びビデ用の第２局部洗浄部２０ｓとのうちのいずれか一方としても良い。
【００２２】
図１に示すように、排泄物容器３は、上面に開口３０を有する排泄物収容室３１をもつ樹脂を基材とする内バケツで形成されており、後部３ｒ側に凹部３５を有する。排泄物容器３は回動可能な取っ手３２を有する。排泄物容器３の開口３０を閉鎖する着脱可能な容器蓋３６が設けられている。容器蓋３６は、指先で摘む摘み部３７を有する。更に、外バケツ５は樹脂を基材としており、上面に形成された開口５０を有すると共に排泄物容器３を収容可能な収容室５１と、上面の開口５０から外方に鍔状に延設されたフランジ部５２と、フランジ部５２の後部に設けられた凹部５５とを有する。凹部５５は排泄物容器３の凹部３５と対面する。凹部３５，５５は、主として、局部洗浄部２０（２０ｆ，２０ｓ）との衝突を避けるために凹んでいるものである。
【００２３】
フランジ部５２の上面には、着座部１を載せて支持する載置面５３が形成されている。外バケツ５は基体４の固定フレーム４０の容器収容室４２内に着脱可能に収容される。排泄物容器３は外バケツ５の収容室５１内に着脱可能に収容される。
【００２４】
図２に示すように、排泄物容器３内に挿入されて排泄物容器３内を洗浄する棒状をなす排泄物容器洗浄部８が設けられている。排泄物容器洗浄部８は基体４に対して別体をなしており、所定距離持ち運び可能とされており、先端部に水を噴出するノズル部８ｋと、指先で掴むことが可能な把手部８ｈとを有する。ノズル部８ｋは、棒状の排泄物容器洗浄部８の軸芯ＰＡ方向に沿って水を吐出する。この場合、ノズル部８ｋから吐出される水の水圧は、設計の単純化を図るため一段でも良いし、あるいは、複数段に切替可能であっても良い。ノズル部８ｋから吐出される水としては、水の噴出の拡開角度が大きいシャワー噴出の形態でも良いし、あるいは、シャワー噴出でない形態でも良い。周囲への水の飛散を抑えるためには、水の噴出の拡開角度はあまり大きくない方が良いといえる。
【００２５】
排泄物容器洗浄部８は、水の噴出停止、水の噴出を切り替えるスイッチ部８０を有する。排泄物容器洗浄部８に給水可能な水タンク８４が基体４に設けられている。水タンク８４は基体４の後部４ｒ、つまり、着座部１に着座する使用者の背中側においてタンクホルダ部４ｘを介して設けられている。水タンク８４は後方を向いている。水タンク８４は、縦長の偏平容器状をなす四角タンク形状をなしており、上面８４ｕ、側面８４ｓ、後面８４ｒ、前面８４ｆとをもつ。水タンク８４は、厚み寸法ｔ１は幅寸法、高さ寸法に比較して小さいので、水タンク８４がポータブルトイレに搭載されていても、ポータブルトイレの設置スペースの増大は防止されている。水タンク８４は、水タンク８４の上部に設けられ水道水等の水を補給する補給口８５と、補給口８５を開閉する着脱可能な蓋部材８６とを有する。補給口８５は水タンク８４の上部に設けられているため、給水作業に有利である。補給口８５の高さ位置は、背もたれ部４８（仕切部材）の上面４８ｕ、背板部４７の上端４７ｕよりも低く設定されている。このため介助者が水タンク８４の補給口８５に給水しているとき、背もたれ部４８は、着座部１に着座している使用者と、介助者による給水作業との分離性を高めることができる。また、背もたれ部４８が着座部１と水タンク８４との間に設けられているため、使用者の背中が水タンク８４に直接的に接触することが抑制される。
【００２６】
図２に示すように、水タンク８４には水量を示すインジケータ８４ｗが設けられている。図２に示すように、ワイヤ等の線状体で形成された支持部８７が水タンク８４の後面８４ｒに掛けられて水タンク８４の支持性が高められている。水タンク８４の側面８４ｓの下部には給水具８８が設けられている。なお、水タンク８４の側面８４ｓには、排泄物容器洗浄部８を引っかけて仮保持するホルダー８４ｘが設けられている。
【００２７】
図２に示すように、可撓性を有する給水管としての給水ホース８９（可撓配管）の一端部８９ａは給水具８８に接続されており、給水ホース８９の他端部８９ｃは排泄物容器洗浄部８の基端部に接続されている。給水ホース８９は３次元的な可撓性を有すると共に、所定の長さを有する。従って、排泄物容器洗浄部８は給水ホース８９の長さに相当するぶん移動可能とされている。なお、排泄物容器３を基体４から外したときであっても、排泄物容器３が基体４の近傍に設置されていれば、給水ホース８９により排泄物容器洗浄部８は排泄物容器３に届くようになっている。従って排泄物容器洗浄部８から吐出される水により排泄物容器３を掃除することができる。
【００２８】
図３に示すように、水タンク８４は、上側に設けられ水を収容可能なタンク室８４ａと、タンク室８４ａの下側に設けられた制御室８４ｃとを有する。タンク室８４ａの水容量は、排泄物容器３の洗浄処理と使用者の局部洗浄処理とをそれぞれ所定回数実行できるように設定されている。
【００２９】
図３に示すように、制御室８４ｃは、タンク室８４ａに互いに独立して繋がる第１給水経路９１及び第２給水経路９２と、第１給水経路９１に設けられ排泄物容器洗浄部８に給水可能な第１給水手段９３と、第２給水経路９２に設けられ局部洗浄部２０（２０ｆ、２０ｓ）に給水可能な第２給水手段９６と、コントローラ９９とを有する。コントローラ９９は、第１信号線９３ｓを介して第１給水手段９３を制御すると共に、第２信号線９６ｓを介して第２給水手段９６を制御する。第１給水手段９３は、給水機能を有する第１電動ポンプ９４と、第１電動ポンプ９４を駆動させる第１モータ９５とを備えている。第２給水手段９６は、給水機能を有する第２電動ポンプ９７と、第２電動ポンプ９７を駆動させる第２モータ９８とを備えている。コントローラ９９にはアダプタ９０を介して商用電源（ＡＣ１００ボルト）が接続される。
【００３０】
上記した第１給水手段９３の第１電動ポンプ９４及び第２給水手段９６の第２電動ポンプ９７は、互いに独立して駆動する。故に、第１電動ポンプ９４が故障等により停止したとしても、第２電動ポンプ９７は駆動可能である。第２電動ポンプ９７が故障等により停止したとしても、第１電動ポンプ９４は駆動可能である。
【００３１】
上記したように本実施例によれば、第１給水手段９３の第１電動ポンプ９４及び第２給水手段９６の第２電動ポンプ９７とは互いに独立して駆動するように設定されている。このため排泄物容器洗浄部８に給水する水圧と、局部洗浄部２０（２０ｆ、２０ｓ）に給水する水圧とを同じとしても良いし、異なる値とすることもでき、水圧設定の自由度を高めることができる。また、排泄物容器洗浄部８に給水する単位時間あたりの水量と、局部洗浄部２０（２０ｆ、２０ｓ）に給水する単位時間当たりの水量とを同じとしても良いし、異なる値とすることもでき、水量設定の自由度を高めることができる。換言すると、排泄物容器洗浄部８に給水する水圧Ｐ１と、局部洗浄部２０（２０ｆ、２０ｓ）に給水する水圧Ｐ２とを、排泄物容器３の洗浄に要請される洗浄力、局部洗浄に要請される洗浄力等に応じて個別に設定できる。なお、Ｐ１=Ｐ２またはＰ１≒Ｐ２でも良いし、Ｐ１＞Ｐ２でも良いし、Ｐ１＜Ｐ２でも良い。また排泄物容器洗浄部８に給水する単位時間当たりの水量Ｖ１と、局部洗浄部２０（２０ｆ、２０ｓ）に給水する単位時間当たりの水量Ｖ２とを、排泄物容器３の洗浄に要請される洗浄力、局部洗浄に要請される洗浄力等に応じて個別に設定できる。なお、Ｖ１=Ｖ２またはＶ１≒Ｖ２でも良いし、Ｖ１＞Ｖ２でも良いし、Ｖ１＜Ｖ２でも良い。
【００３２】
なお、コストダウンを考慮すると、第１給水手段９３の第１電動ポンプ９４及び第２給水手段９６の第２電動ポンプ９７は、同種のものを採用できる。
【００３３】
タンク室８４ａには水位検知手段８４ｅが設けられている。水位検知手段８４ｅの水位信号は信号線８４ｆを介してコントローラ９９に入力される。水タンク８４内の水は局部洗浄部２０と排泄物容器洗浄部８の双方に共用される。なお、タンク室８４ａの水位が過剰に低減すると、コントローラ９９は第１給水手段９３及び第２給水手段９６を停止させ、表示ＬＥＤ等の報知手段によりその旨を報知する。
【００３４】
第２給水経路９２は、水タンク８４のタンク室８４ａと局部洗浄部２０（２０ｆ、２０ｓ）とを繋ぐ給水通路であり、局部洗浄装置２に内蔵されている。第２給水経路９２の水を加熱する電気式のヒータ２５が局部洗浄装置２に組み込まれている。本実施例によれば、局部洗浄部２０（２０ｆ、２０ｓ）に供給させる水をヒータ２５により加熱できるため、使用者の局部を温水により洗浄することができる。このため局部洗浄時における不快感を発生させない。これに対して、第１給水経路９１は排泄物容器洗浄部８に繋がるものであるが、第１給水経路９１の水は使用者の局部に直接触れるものではないため、水を加熱する要請は少なく、ヒータは設けられていない。従って、排泄物容器洗浄部８に供給される水の温度は基本的にはタンク室８４ａの水温である。このため電気エネルギの低減に貢献できる。
【００３５】
本実施例によれば、図４はスライド部材７の平面視を示す。図４に示すようにスライド部材７は枠状をなしており、前側に形成された引き出し操作部７０と、外バケツ５を収容する開口７２ｍを有する枠部７２とを備えている。スライド部材７の枠部７２の上面には、外バケツ５のフランジ部５２が載置可能される載置面７３が形成されている。従ってスライド部材７の枠部７２の上面の載置面７３に外バケツ５のフランジ部５２を載せ得るようにされている。図５は、スライド部材７の開口７２ｍに外バケツ５を嵌め込みつつ、スライド部材７の枠部７２の上面の載置面７３に外バケツ５のフランジ部５２を載せた状態を示す。
【００３６】
本実施例によれば、使用者が着座部１に着座するときには、着座部１に着座している荷重は着座部１を介して外バケツ５のフランジ部５２に伝わる。ここで、スライド部材７は前後に分割した分割部品ではなく、単一部品である。このため外バケツ５のフランジ部５２の全体を単一部品であるスライド部材７の載置面５３に載せるため、荷重の支持性を高めることができる。
【００３７】
スライド部材７の引き出し操作部７０は、基体４の固定フレーム４０に対して前方（矢印Ｆ方向）に引出し可能とされている。スライド部材７の引き出し操作部７０を前方（矢印Ｆ方向）に引き出せば、スライド部材７は基体４の固定フレーム４０から引き出し可能とされているため、スライド部材７に保持されている外バケツ５も前方（矢印Ｆ方向）に引き出され、外バケツ５に収容されている排泄物容器３も前方（矢印Ｆ方向）に引き出される。
【００３８】
局部洗浄機能を有しない従来のポータブルトイレによれば、局部洗浄装置２が基体４に設けられていない。このため従来のポータブルトイレによれば、排泄物容器３の後部３ｒと局部洗浄部２０との干渉が発生しないため、着座部１を上方に揺動させた状態で、排泄物容器３を基体４の固定フレーム４０に対してそのまま上方に持ち上げれば、排泄物容器３を固定フレーム４０から取り外すことができるものであった。
【００３９】
しかしながら、局部洗浄機能を有するタイプのポータブルトイレによれば、局部洗浄装置２が基体４に設けられており、ノズル式の局部洗浄部２０の先端部の水吐出口が排泄物容器３の排泄物収容室３１に臨むように配置されることが多い。更に、局部洗浄部２０の先端部の水吐出口から吐出される水を排泄物収容室３が受け止め必要があるため、排泄物収容室３の後部３ｒは局部洗浄部２０の後方に位置することになる。この場合、着座部１を上方に揺動させた状態で、排泄物容器３をそのまま上方に持ち上げれば、排泄物容器３の後部３ｒと局部洗浄装置２の局部洗浄部２０とが干渉する（図５参照）。
【００４０】
そこで本実施例によれば、前方（矢印Ｆ方向）にスライド可能なスライド部材７の載置面７３に外バケツ５のフランジ部５２を載せると共に、その外バケツ５内に排泄物容器３を収容する方式が採用されている。そして排泄物容器３内の排泄物を廃棄するとき、図６に示すように、排泄物容器３を収容する外バケツ５のフランジ部５２を載せたスライド部材７の引き出し操作部７０を介助者等が前方（矢印Ｆ方向）に向けて少しスライド（ΔＳ）させる。このスライドに伴い、図６に示すように、外バケツ５の後部５ｒ、排泄物容器３の後部３ｒが前方（矢印Ｆ方向）に移動し、排泄物容器３の後部３ｒと局部洗浄装置２の局部洗浄部２０との干渉が回避される。更に、外バケツ５の後部５ｒと局部洗浄装置２の局部洗浄部２０との干渉が回避される。
【００４１】
上記のように干渉を回避した状態で、介助者等が排泄物容器３を上方（矢印Ｙ１方向）に持ち上げれば、排泄物容器３の後部３ｒと局部洗浄部２０とを干渉させることなく、排泄物容器３を持ち上げて外バケツ５から離脱させることができる。そして、離脱させた排泄物容器３内に溜まっている排泄物Ｗを廃棄することができ、排泄物容器３の清掃処理に便利である。また、上記のように干渉を回避した状態で、外バケツ５を上方（矢印Ｙ１方向）に持ち上げれば、局部洗浄部２０と外バケツ５の後部５ｒとを干渉させることなく、外バケツ５を持ち上げて基体４の容器収容室４２から離脱させることができる。従って、外バケツ５の清掃処理も便利である。
【００４２】
ところで、スライド部材７を前方に引き出す際に、スライド部材７に支持されている排泄物容器３や外バケツ５の全体が基体４の固定フレーム４０から完全に離脱するまで、スライド部材７を前方に移動させる方式も考えられる。しかしながらこの場合には、排泄物容器３を前方にスライドさせる距離が長い関係上、排泄物容器３の排泄物収容室３１内に貯留されている汚水の水面ＷＡがスライドに伴い揺動して、汚水が排泄物容器３の周囲に飛散するおそれがあり、好ましくない。この点本実施例によれば、スライド部材７に支持されている排泄物容器３や外バケツ５の全体が基体４の固定フレーム４０から離脱するまでスライド部材７を前方に移動させずとも良い。即ち、前記したようにスライド部材７のスライド（スライド量ΔＳ）により、排泄物容器３の後部３ｒと局部洗浄装置２の局部洗浄部２０との干渉を回避でき、また、外バケツ５の後部５ｒと局部洗浄装置２の局部洗浄部２０との干渉を回避できる。上記のように干渉を回避した状態で、排泄物容器３を上方に持ち上げたり、外バケツ５を上方に持ち上げる方式が採用されている。このため排泄物容器３を載せたスライド部材７をスライドさせる距離 （ΔＳ）が少しで済み、スライド部材７に支持されている排泄物容器３の排泄物収容室３１内の汚水の水面ＷＡの揺動を抑えることができ、汚水の飛散を抑えることができる。
【００４３】
本実施例に係るポータブルトイレの一般的な清掃方法について説明を加える。まず、排泄物容器３の開口３０が露出している状態において、図７に示すように、棒状の排泄物容器洗浄部８を排泄物容器３の排泄物収容室３１に対面させつつ挿入する。そして、排泄物容器洗浄部８のスイッチ８０を操作し、第１給水手段９３を駆動させる。これにより第１電動ポンプ９４により排泄物容器洗浄部８に給水し、排泄物容器洗浄部８のノズル部８ｋから水を吐出させる。このように排泄物容器洗浄部８のノズル部８ｋから吐出した水により、排泄物容器３内を洗浄することができ、排泄物容器３を衛生的にできる。
【００４４】
また外バケツ５を清掃したいときには、外バケツ５を露出させる。この状態において、棒状の排泄物容器洗浄部８を外バケツ５の収容室５１に挿入し、排泄物容器洗浄部８から噴出した水により外バケツ５内を洗浄する。給水ホース８９は可撓性を有するため、排泄物容器洗浄部８の位置、向きを任意に変えることができるため、排泄物容器３や外バケツ５の清掃に便利である。排泄物容器３に水を貯めておきたいときには、排泄物容器洗浄部８のノズル部８ｋから水を排泄物容器３内に吐出させれば良い。なお、排泄物容器洗浄部８のノズル部８ｋから吐出される水は、局部洗浄の場合とは異なり、ヒータ２５で加熱されていないため、一般的には常温水である。
【００４５】
更に説明を加える。図８に示すように、排泄物容器３に容器蓋３６が被着されているときには、排泄物容器３の容器蓋３６の後部３６ｒと局部洗浄装置２の局部洗浄部２０（２０ｆ，２０ｓ）とが干渉し、容器蓋３６を上方に持ち上げることができず、ひいては容器蓋３６を外すことができないおそれがある。そこで前述したように、図９に示すように、着座部１を上方に揺動させて退避位置にさせた状態で、容器蓋３６を被着した排泄物容器３をセットしているスライド部材７を前方（矢印Ｆ方向）に少しスライド（スライド量=ΔＳ）させれば、排泄物容器３の容器蓋３６の後部３６ｒと局部洗浄装置２の局部洗浄部２０との干渉が直ちに回避される（図９参照）。このため図１０に示すように容器蓋３６を上方に持ち上げて排泄物容器３から外すことができる。そして、容器蓋３６を外した状態で、排泄物容器洗浄部８を排泄物容器３内に挿入し、排泄物容器洗浄部８から吐出した水により排泄物容器３を洗浄することができる。必要に応じて、図１１に示すように排泄物容器３を持ち上げて外バケツ５の収容室５１から取り外すこともできる。
【００４６】
本実施例によれば、図２に示すように、水タンク８４は基体４の後部４ｒの背もたれ部４８の後方に、つまり、着座部１に着座する使用者の背中側において設けられている。更に、背もたれ部４８の上面４８ｕの高さ位置は補給口８５の高さ位置よりも高く設定されている。このため、背もたれ部４８の後方においてやかん等の貯水容器または水道ホース等を用いて水タンク４の補給口８５へ介助者等が給水作業している作業中において、着座部１に着座している使用者が動いたとしても、使用者の身体がやかん等の貯水容器または水道ホース等に当たることが抑制され、水タンク８４の補給口８５への給水作業を損なうことが抑えられている。従って背もたれ部４８は、着座部１に着座する使用者に対する背もたれ機能を有する他に、着座スペースとタンクスペースとを仕切る仕切部材としての機能を有する。
【００４７】
更に、本実施例の実施例効果について図４（Ａ）（Ｂ）を参照して説明を加える。ここで、前記したように、着座部１に着座する使用者の顔が指向する方向を前方（矢印Ｆ方向）とし、着座部１に着座する使用者の背中が指向する方向を後方（矢印Ｒ方向）とし、前方と前記後方とを結ぶ方向に対して交差する方向を幅方向（矢印Ｗ方向）とする。スライド部材７の前端部に形成されている引き出し操作部７０、前板部４４は、着座部１に着座する使用者の脚部に対面する。この場合、図４（Ａ）に示す平面視において、スライド部材７の引き出し操作部７０では、幅方向の中央部７０ｃが幅方向の両端部７０ｅよりも前方（矢印Ｆ方向）に突出している。換言すると、スライド部材７の引き出し操作部７０では、幅方向の中央部７０ｃよりも、幅方向の両端部７０ｅは後方（矢印Ｒ方向）に退避している。
【００４８】
スライド部材７の引き出し操作部７０と重なる前板部４４（基体４の一部）についても同様である。すなわち、図７に示すように、前板部４４の前面４４ｆでは、幅方向の中央部４４ｃが幅方向の両端部４４ｅよりも前方（矢印Ｆ方向）に突出している。換言すると、前板部４４の前面４４ｆでは、幅方向の中央部４４ｃよりも幅方向の両端部４４ｅがポータブルトイレの前後方向の後方（矢印Ｒ方向）に向けて退避している。このため、比較例として、スライド部材の引き出し操作部の前面、前板部の前面を幅方向（矢印Ｗ方向）に沿った仮想線ＷＡ（図４（Ａ）参照）に設定している形態に比較し、仮想線ＷＡの後方にスペースＳ１００が確保される。故に、使用者が着座部１に着座するとき、使用者の脚部（左脚部、右脚部）のスペースが確保され易くなり、使用者は着座部１に着座し易くなる利点が得られ、高齢者、障害者などの使用に適する。便座である着座部１について、幅方向の中央部が幅方向の両端部よりも突出しているためである。
【００４９】
また本実施例によれば、前方と後方とを結ぶ方向に沿った断面（図４（Ｂ））に示すように、着座している使用者の脚が対面する前板部４４については、これの下部４４ｄがこれの上部４４ｕよりも後方（矢印Ｒ方向）に退避するように、前板部４４の前面４４ｆが傾斜している。このように前板部４４の前面４４ｆが後方（矢印Ｒ方向）に退避するように傾斜していれば、着座部１に着座している使用者の脚もとのスペースを一層確保できるため、使用者の身体を支える足首を後方に寄らせて身体の重心に近づけることができ、使用者は着座部１に着座し易くなる利点が得られる。更に着座中の使用者が立ち上がるときにも、立ち上がりが楽となり、高齢者、障害者などの使用に適する。
【００５０】
また本実施例によれば、排泄後の使用者（被介護者）の局部を局部洗浄部２０で洗浄する他に、排泄物容器洗浄部８は給水ホース８９の長さ相当ぶん持ち運び可能であるため、排泄後の使用者（被介護者）の局部および／または下半身を、排泄物容器洗浄部８のノズル部８ｋから吐出される水により洗浄することも期待できる。この場合、身体が不自由であるため浴室に頻繁には行くことができないものの、かといってベッドまたは布団の上に横たわった状態で介護者に局部洗浄してもらうまでには至らぬ不自由さをもつ被介護者にとっては、朗報となる。
【実施例２】
【００５１】
図１２は実施例２を示す。本実施例は実施例１と基本的には同様の構成であり、同様の作用効果を有する。以下、異なる部分を中心として説明する。排泄物容器洗浄部８の給水ホース８９の一端部８９ａに繋がる接続部８９ｍは、カプラ式とされている。カプラ式の接続部８９ｍは、水タンク８４の給水具８８から着脱可能とされている。排泄物容器洗浄部８を長期間使用しない場合には、排泄物容器洗浄部８の給水ホース８９に繋がるカプラ式の接続部８９ｍを、水タンク８４の給水具８８から外しておく。このようにすれば、排泄物容器洗浄部８が邪魔にならない。なお、このように給水具８８と接続部８９ｍとを離脱させた状態でも、水タンク８４の給水具８８から水が漏れないように設定されている。給水具８８は、弁口と、弁口を開閉する弁体と、弁体を閉鎖方向に付勢するバネ部材とを有するためである。給水具８８と接続部８９ｍとを離脱させた状態では、バネ部材のバネ力により弁体で弁口を閉鎖するが、このとき弁口から水が漏れないようにバネ部材のバネ力によりシールされる。給水具８８と接続部８９ｍとを接続させた状態では、バネ部材に抗しつつ弁口を開放する。
【００５２】
本実施例において、排泄物容器洗浄部８から吐出される水で排泄物容器３を洗浄するときには、カプラ式の接続部８９ｍを水タンク８４の給水具８８に接続する。そして前述したように、着座部１を上方に揺動させて退避させると共に、排泄物容器洗浄部８を排泄物容器３の開口３０に対面させつつ挿入する。この状態で、排泄物容器洗浄部８のスイッチ８０を操作し、第１給水手段９３を駆動させて第１電動ポンプ９４により排泄物容器洗浄部８に給水し、排泄物容器洗浄部８から水を噴出させる。
【実施例３】
【００５３】
図１３は実施例３を示す。本実施例は実施例２と基本的には同様の構成であり、同様の作用効果を有する。以下、異なる部分を中心として説明する。排泄物容器洗浄部８か給水ホース８９の一端部８９ａに繋がる接続部８９ｍはカプラ式とされている。なお、給水具８８と接続部８９ｍとを離脱させた状態でも、水タンク８４の給水具８８から水が漏れないように設定されている。
【００５４】
カプラ式の接続部８９ｍは、水タンク８４の給水具８８から着脱可能とされている。カプラ式の接続部８９ｍを水タンク８４の給水具８８から外すと共に、水タンク８４の側面８４ｓに付設されているホルダ部８４ｔから給水ホース８９を取り外す。更に、支持部８７を上方に回動させて水タンク８４から外す。これにより水タンク８４を基体４から取り外す。
【００５５】
このように基体４から取り外した水タンク８４を、水道の蛇口等の給水設備に移送する。そして給水設備から水タンク８４の補給口８５に水を供給する。このうように水を水タンク８４に供給したら、水タンク８４を再び基体４にセットすると共に、支持部８７を下方に回動操作させて水タンク８４に掛けることにより水タンク８４の支持性を高める。更に給水ホース８９のカプラ式の接続部８９ｍを水タンク８４の給水具８８に接続する。
【実施例４】
【００５６】
図１４は実施例４を示す。本実施例は実施例１と基本的には同様の構成であり、同様の作用効果を有する。以下、異なる部分を中心として説明する。図１４に示すように、着座部１に着座している使用者の腕部を支えるレスト部１００が基体４の前部４ｆ側に設けられている。レスト部１００は、着座部１に着座している使用者の前面に対面する。排便時には、一般的に、使用者は前かがみの姿勢で長い時間、着座部１に着座することが多い。特に高齢者等には便秘気味な者が多く、便秘気味の使用者は、着座部１に着座しつつ、長い時間、前かがみの姿勢となることが多い。このため、着座部１に着座している使用者の腕部を支えるレスト部１００が基体４の前部４ｆ側に設けられている。レスト部１００は、着座部１に着座している使用者の腕部を支える使用位置（図１４参照）と、着座部１に着座している使用者の腕部を支えない退避位置とに切替可能とされている。このため本実施例によれば、レスト部１００を使用位置に切り替えれば、使用者は前かがみの姿勢で長い時間着座部１に着座するときであっても、使用者の前かがみの姿勢をレスト部１００により良好に維持できるため、便秘気味の高齢者の排便に適する。使用者が前かがみの姿勢となると、ポータブルトイレの重心が前方に寄るが、水を貯留する水タンク８４が基体４の固定フレーム４０の後部側に設けられているため、基体４の安定性は確保される。
【００５７】
使用者がポータブルトイレの移乗するとき、レスト部１００が邪魔になるため、レスト部１００は、着座部１に着座している使用者の腕部を支えない退避位置に切替られる。退避位置に設定するにあたり、レスト部１００は基体４の肘掛け部４６に対して完全に分離可能とされている。あるいは、レスト部１００の一端部１００ａをヒンジ機構１００ｂにより矢印Ｕ１，Ｕ２方向に揺動可能に枢支している。この場合、レスト部１００の他端部１００ｃを上方向（矢印Ｕ１方向）に揺動させて１８０度以上回動させる。
【実施例５】
【００５８】
図１５は実施例５を示す。本実施例は実施例１と基本的には同様の構成であり、同様の作用効果を有する。以下、異なる部分を中心として説明する。図１５に示すように本実施例によれば、実施例１と同様に、局部洗浄部２０（２０ｆ、２０ｓ）に供給させる水をヒータ２５により加熱できるため、使用者の局部を温水により洗浄することができる。このため局部洗浄時における不快感を発生させない。更に、排泄物容器洗浄部８に繋がる第１給水経路９１にもヒータ２５Ｂが付設されている。従って、排泄物容器洗浄部８に供給する水を加熱して温水にできる。故に、使用者の局部を局部洗浄部２０の温水で洗浄するばかりか、排泄物容器洗浄部８のノズル部８ｋから吐出される温水で排泄物容器３を洗浄することができるため、排泄物容器３の汚れを除去し易い。ヒータ２５およびヒータ２５Ｂはコントローラ９９により制御される。
【００５９】
本実施例によれば、排泄物容器洗浄部８の給水ホース８９は可撓性を有するため、三次元的に容易に位置調整できる。従って、排泄後の使用者（被介護者）の局部および／または下半身を排泄物容器洗浄部８の温水により洗浄することも期待できる。この場合、身体が不自由であるため浴室に頻繁には行くことができないものの、かといってベッドまたは布団の上に横たわった状態で介護者に局部洗浄してもらうまでには至らぬ不自由さをもつ被介護者にとっては、朗報となる。
【００６０】
本実施例によれば、ヒータ２５により加熱され局部洗浄部２０（２０ｆ、２０ｓ）から吐出される温水の温度をＴＡとし、ヒータ２５Ｂにより加熱され排泄物容器洗浄部８から吐出される温水の温度をＴＢとすると、ＴＡ＝ＴＢ、ＴＡ≒ＴＢ（ＴＡ／ＴＢ＝０．９〜１．１）、ＴＡ＜ＴＢ、ＴＡ＞ＴＢのうちのいずれかに設定されている。ＴＡ＝ＴＢ、ＴＡ≒ＴＢであれば、排泄物容器洗浄部８から吐出される温水で使用者の局部を洗浄するときでも、局部洗浄部２０（２０ｆ、２０ｓ）の温水との違和感を小さくできる。ＴＡ＜ＴＢであれば、排泄物容器洗浄部８から吐出される温水の温度を相対的に高めにできるため、排泄物容器３の汚れがひどいときであっても、汚れを除去し易い。ＴＡ＞ＴＢであれば、排泄物容器洗浄部８から吐出される温水の温度を相対的に低めにできるため、熱エネルギを節約できる。
【実施例６】
【００６１】
図１６は実施例６を示す。本実施例は実施例５と基本的には同様の構成であり、同様の作用効果を有する。以下、異なる部分を中心として説明する。図１６に示すように局部洗浄部２０（２０ｆ、２０ｓ）に供給させる水をヒータ２５により加熱できるため、使用者の局部を温水により洗浄することができる。更に、排泄物容器洗浄部８に繋がる第１給水経路９１にもヒータ２５Ｂが付設されている。更に、ヒータ２５Ｂの単位時間当たりの発熱量を調整し、排泄物容器洗浄部８から吐出される温水の温度ＴＢを調整する温度調整スイッチ２００が設けられている。温度調整スイッチ２００の信号はコントローラ９９に入力される。温度調整スイッチ２００の操作により、ＴＡ＝ＴＢ、ＴＡ≒ＴＢ（ＴＡ／ＴＢ＝０．９〜１．１）、ＴＡ＜ＴＢ、ＴＡ＞ＴＢのうちのいずれについても、好みに応じて容易に設定可能である。
【実施例７】
【００６２】
図１７は実施例７を示す。本実施例は実施例５と基本的には同様の構成であり、同様の作用効果を有する。以下、異なる部分を中心として説明する。図１７に示すように、排泄物容器洗浄部８に繋がる給水ホース８９および第２給水通路９２が流路切替弁３００（三方弁）を介して第１給水経路９１に接続されている。第１給水経路９１にはヒータ２５が付設されている。ヒータ２５により第１給水経路９１の水が加熱されて温水となる。ここで、手動またはコントローラ９９により流路切替弁３００が所定の流路に切り替えられると、温水を給水ホース８９を介して排泄物容器洗浄部８に供給できる。また流路切替弁３００が他の流路に切り替えられると、温水を第２給水経路９２を介して局部洗浄部２０（２０ｆ、２０ｓ）に供給できる。本実施例では、ヒータ２５は、排泄物容器洗浄部８および局部洗浄部２０に共通している。これは、排泄物容器洗浄部８および局部洗浄部２０を同時に使用する確率は実質的に少ないことに着目したものである。更に、ヒータ２５の単位時間あたりの発熱量を調整する温度調整スイッチ２００が設けられており、温水の温度を好みに応じて変更できる。
【００６３】
（その他）本発明は上記し且つ図面に示した実施形態のみに限定されるものではなく、要旨を逸脱しない範囲内で適宜変更して実施できるものである。上記した記載から次の技術的思想も把握できる。
［付記項１］
使用者が着座する着座部と、使用者の排泄物を受ける排泄物容器と、前記着座部及び前記排泄物容器を有する基体とを具備するポータブルトイレにおいて、
前記着座部に着座する使用者の顔が指向する方向を前方とし、前記着座部に着座する使用者の背中が指向する方向を後方とし、前記前方と前記後方とを結ぶ方向に対して交差する方向を幅方向とするとき、
前記基体は、前記前方に向けて引き出し可能なスライド部材と、前記スライド部材の下方に位置して前記基体の前部に設けられ前記着座部に着座する使用者の脚に対面する前板部とを有しており、
平面視において、前記スライド部材及び前記前板部は、前記幅方向の中央部が前記幅方向の両端部よりも前方に突出していることを特徴とするポータブルトイレ。着座している使用者の脚部のスペースが確保され易いため、着座しやすい。
［付記項２］
付記項１において、前記着座部に着座する使用者の顔が指向する方向を前方とし、前記着座部に着座する使用者の背中が指向する方向を後方とし、前記前方と前記後方とを結ぶ方向に沿った断面において、前記基体は、前記基体の前部に設けられ前記着座部に着座する使用者の脚に対面する前板部を有しており、前記前板部の前面の下部は、前記前板部の前面の上部よりも後方に退避していることを特徴とするポータブルトイレ。この場合、使用者の脚部のスペースが確保され易いため、着座しやすい。更に、着座中の使用者が立ち上がる作業が楽になる。
【産業上の利用可能性】
【００６４】
本発明は高齢者、障害者、負傷者、健常者等が使用するポータブルトイレに利用することができる。
【図面の簡単な説明】
【００６５】
【図１】ポータブルトイレから排泄物容器、容器蓋、外バケツを外した状態を示す斜視図である。
【図２】排泄物容器、容器蓋、外バケツを取り付けたポータブルトイレを後方から視認した斜視図である。
【図３】水タンク付近を示す構成図である。
【図４】図４（Ａ）はスライダ部材の平面図であり、図４（Ｂ）は着座中の使用者の脚部がスライダ部材の引き出し操作部及び前板部に対面している状態を示す構成図である。
【図５】排泄物容器を収容する外バケツのフランジ部をスライダ部材に載せている状態を模式的に示す断面図である。
【図６】排泄物容器を収容する外バケツのフランジ部をスライダ部材に載せつつ、スライダ部材を前方にスライドさせた状態を模式的に示す断面図である。
【図７】排泄物容器、容器蓋、外バケツを取り付けたポータブルトイレを前方から視認した斜視図である。
【図８】着座部を上方に揺動させた状態のポータブルトイレを前方から視認した斜視図である。
【図９】着座部を上方に揺動させた状態で、スライド部材を前方にスライドさせた状態のポータブルトイレを前方から視認した斜視図である。
【図１０】着座部を上方に揺動させた状態で、スライド部材を前方にスライドさせ、更に容器蓋を排泄物容器から外す状態のポータブルトイレを前方から視認した斜視図である。
【図１１】着座部を上方に揺動させた状態で、スライド部材を前方にスライドさせ、更に排泄物容器を外バケツから外す状態のポータブルトイレを前方から視認した斜視図である。
【図１２】実施例２にかかり、排泄物容器、容器蓋、外バケツを取り付けたポータブルトイレを後方から視認した斜視図である。
【図１３】実施例３にかかり、排泄物容器、容器蓋、外バケツを取り付けたポータブルトイレを後方から視認した斜視図である。
【図１４】実施例４にかかり、排泄物容器、容器蓋、外バケツを取り付けたポータブルトイレを前方から視認した斜視図である。
【図１５】実施例５にかかり、水タンク付近を示す構成図である。
【図１６】実施例６にかかり、水タンク付近を示す構成図である。
【図１７】実施例７にかかり、水タンク付近を示す構成図である。
【符号の説明】
【００６６】
図中、１は着座部、２は局部洗浄装置、２０は局部洗浄部、２１は本体部、２５はヒータ、２５Ｂはヒータ、３は排泄物容器、３１は排泄物収容室、３６は容器蓋、４は基体、４０は固定フレーム、４８は背もたれ部（仕切部材）、５は外バケツ、５２はフランジ部、８は排泄物容器洗浄部、８０はスイッチ、８４は水タンク、８９は給水ホース、９３は第１給水手段、９６は第２給水手段、２００は温度調整スイッチを示す。
【図１】
2006122664.tif 000003
【図２】
2006122664.tif 000004
【図３】
2006122664.tif 000005
【図４】
2006122664.tif 000006
【図５】
2006122664.tif 000007
【図６】
2006122664.tif 000008
【図７】
2006122664.tif 000009
【図８】
2006122664.tif 000010
【図９】
2006122664.tif 000011
【図１０】
2006122664.tif 000012
【図１１】
2006122664.tif 000013
【図１２】
2006122664.tif 000014
【図１３】
2006122664.tif 000015
【図１４】
2006122664.tif 000016
【図１５】
2006122664.tif 000017
【図１６】
2006122664.tif 000018
【図１７】
2006122664.tif 000019